【手続補正書】
【提出日】平成20年10月14日(2008.10.14)
【手続補正１】
【補正対象書類名】特許請求の範囲
【補正対象項目名】全文
【補正方法】変更
【補正の内容】
【特許請求の範囲】
【請求項１】
複数の無線部を備える通信装置と、該通信装置と無線通信する端末装置とを有するシステムの無線通信方法であって、
複数の無線部のそれぞれで行われているグループに参加した通信を識別する識別工程と、
前記識別工程において識別した結果に基づいて、所定のグループに参加する端末装置が接続すべき無線部を決定する決定工程と
を有することを特徴とする無線通信方法。
【請求項２】
前記グループに参加しての通信はマルチキャストデータを受信する端末装置との通信であることを特徴とする請求項１記載の無線通信方法。
【請求項３】
前記グループに参加しての通信は、マルチキャストデータを送信する端末装置との通信であることを特徴とする請求項１記載の無線通信方法。
【請求項４】
前記決定工程は、前記複数の無線部における帯域の利用状況に基づいて決定することを特徴とする請求項１記載の無線通信方法。
【請求項５】
前記決定工程で決定した無線部に切り換えるように、前記端末装置に対して要求を送信する送信工程を更に有することを特徴とする請求項１記載の無線通信方法。
【請求項６】
前記複数の無線部のそれぞれで行われているグループに参加しての通信を識別するための情報を前記端末装置に対して通知する通知工程を更に有することを特徴とする請求項１記載の無線通信方法。
【請求項７】
前記端末装置が接続する無線部を、前記決定工程で決定された無線部に接続を切り換える切換工程を有することを特徴とする請求項１記載の無線通信方法。
【請求項８】
前記端末装置は、前記通知工程で通知されたグループに参加しての通信を識別するための情報に基づいて、接続すべき無線部を決定する工程を有することを特徴とする請求項６記載の無線通信方法。
【請求項９】
端末装置と無線通信し、複数の無線部を備える通信装置であって、
複数の無線部のそれぞれで行われているグループに参加しての通信を識別する識別手段と、
前記識別手段により識別した結果に基づいて、所定のグループに参加する端末装置が接続すべき無線部を決定する決定手段と
を有することを特徴とする通信装置。
【請求項１０】
前記グループに参加しての通信は、マルチキャストデータを受信する端末装置との通信であることを特徴とする請求項９記載の通信装置。
【請求項１１】
前記グループに参加しての通信は、マルチキャストデータを送信する端末装置との通信であることを特徴とする請求項９記載の通信装置。
【請求項１２】
前記決定手段は、前記複数の無線部における帯域の利用状況に基づいて決定することを特徴とする請求項９記載の通信装置。
【請求項１３】
前記決定手段で決定した無線部に切り換えるように、前記端末装置に対して要求を送信する送信手段を更に有することを特徴とする請求項９記載の通信装置。
【請求項１４】
前記複数の無線部のそれぞれで行われているグループに参加しての通信を識別するための情報を前記端末装置に対して通知する通知手段を更に有することを特徴とする請求項９記載の通信装置。
【請求項１５】
端末装置と無線通信し、複数の無線部を備える通信装置であって、
所定のグループに参加する複数の端末装置が接続する無線部を決定する決定手段と、
前記決定手段による決定に基づいて、前記所定のグループに参加して通信を行う複数の端末装置が、前記決定手段により決定した無線部に接続するための処理を実行する実行手段と
を有することを特徴とする通信装置。
【請求項１６】
端末装置と無線通信し、複数の無線部を備える通信装置の無線通信方法であって、
所定のグループに参加する複数の端末装置が接続する無線部を決定する決定工程と、
前記所定のグループに参加した通信を行う複数の端末装置が、前記決定工程において決定した無線部に接続するための処理を実行する実行工程と
を有することを特徴とする無線通信方法。
【請求項１７】
複数の無線部を備える通信装置と、該通信装置と無線通信する端末装置とを有するシステムであって、
通信装置は、
複数の無線部のそれぞれで行われているグループに参加した通信を識別する識別手段と、
前記識別手段により識別した結果に基づいて、グループに参加する端末装置が接続すべき無線部を決定する決定手段とを有し、
前記端末装置は、
前記決定手段で決定された無線部に接続を切り換える切換手段を有することを特徴とするシステム。
【請求項１８】
請求項１又は請求項１６に記載の無線通信方法をコンピュータに実行させるためのプログラム。
【請求項１９】
請求項１８記載のプログラムを記録したコンピュータにより読み取り可能な記録媒体。
【手続補正２】
【補正対象書類名】明細書
【補正対象項目名】発明の名称
【補正方法】変更
【補正の内容】
【発明の名称】無線通信方法、通信装置、及びシステム
【手続補正３】
【補正対象書類名】明細書
【補正対象項目名】０００１
【補正方法】変更
【補正の内容】
【０００１】
本発明は、複数の無線部を備える通信装置と、該通信装置と無線通信する端末装置とを有するシステムの無線通信方法、通信装置、及びシステムに関する。
【手続補正４】
【補正対象書類名】明細書
【補正対象項目名】００１０
【補正方法】変更
【補正の内容】
【００１０】
本発明は、複数の無線部を備える通信装置と、該通信装置と無線通信する端末装置とを有するシステムの無線通信方法であって、複数の無線部のそれぞれで行われているグループに参加した通信を識別する識別工程と、前記識別工程において識別した結果に基づいて、所定のグループに参加する端末装置が接続すべき無線部を決定する決定工程とを有することを特徴とする。
【手続補正５】
【補正対象書類名】明細書
【補正対象項目名】００１１
【補正方法】変更
【補正の内容】
【００１１】
また、本発明は、端末装置と無線通信し、複数の無線部を備える通信装置であって、複数の無線部のそれぞれで行われているグループに参加しての通信を識別する識別手段と、前記識別手段により識別した結果に基づいて、所定のグループに参加する端末装置が接続すべき無線部を決定する決定手段とを有することを特徴とする。
【手続補正６】
【補正対象書類名】明細書
【補正対象項目名】００１２
【補正方法】変更
【補正の内容】
【００１２】
更に、本発明は、端末装置と無線通信し、複数の無線部を備える通信装置であって、所定のグループに参加する複数の端末装置が接続する無線部を決定する決定手段と、前記決定手段による決定に基づいて、前記所定のグループに参加して通信を行う複数の端末装置が、前記決定手段により決定した無線部に接続するための処理を実行する実行手段とを有することを特徴とする。
【手続補正７】
【補正対象書類名】明細書
【補正対象項目名】００１３
【補正方法】変更
【補正の内容】
【００１３】
また、本発明は、端末装置と無線通信し、複数の無線部を備える通信装置の無線通信方法であって、所定のグループに参加する複数の端末装置が接続する無線部を決定する決定工程と、前記所定のグループに参加した通信を行う複数の端末装置が、前記決定工程において決定した無線部に接続するための処理を実行する実行工程とを有することを特徴とする。
【手続補正８】
【補正対象書類名】明細書
【補正対象項目名】００１４
【補正方法】変更
【補正の内容】
【００１４】
更に、本発明は、複数の無線部を備える通信装置と、該通信装置と無線通信する端末装置とを有するシステムであって、通信装置は、複数の無線部のそれぞれで行われているグループに参加した通信を識別する識別手段と、前記識別手段により識別した結果に基づいて、グループに参加する端末装置が接続すべき無線部を決定する決定手段とを有し、前記端末装置は、前記決定手段で決定された無線部に接続を切り換える切換手段を有することを特徴とする。